【事件の表示】
　上記当事者間の登録第５６１７７７２号商標の商標登録無効審判事件について、次のとおり審決する。
【結　論】
　登録第５６１７７７２号の登録を無効とする。
　審判費用は被請求人の負担とする。
【理　由】
第１　本件商標
　本件登録第５６１７７７２号商標（以下「本件商標」という。）は、「北海海賊温麺」の漢字を横書きしてなり、平成２５年３月１５日に登録出願され、第３０類「魚介類を使用した調理済みの温麺」を指定商品として、同年８月８日に登録査定、同年９月２７日に設定登録されたものである。
　
第２　引用商標
　請求人が本件商標の登録無効の理由に引用する登録商標は、以下のとおりである。
１　登録第１６７０２３０号商標（以下「引用商標１」という。）は、別掲１のとおりの構成からなり、昭和４６年２月１０日に登録出願、第３２類「うどんめん、そばめん、中華そばめん、そうめん」を指定商品として、同５８年９月２１日に商標法第３条第２項の要件を具備するとして登録審決、同５９年３月２２日に設定登録され、その後、２回にわたり商標権の存続期間の更新登録がされたものであり、さらに、平成２６年３月２２日存続期間満了により、その商標権の登録の抹消の登録が同年１１月２６日にされているものである。
２　登録第１８０６４３０号商標（以下「引用商標２」という。）は、別掲２のとおりの構成からなり、昭和５０年６月２４日に登録出願、第３２類に属する商標登録原簿に記載のとおりの商品を指定商品として、同６０年９月２７日に設定登録され、その後、２回にわたり商標権の存続期間の更新登録がされ、さらに、平成１８年１１月１日に指定商品を第３０類「うどんめん，そばめん，そうめんのめん，中華そばめん」とする指定商品の書換登録がされ、現に有効に存続しているものである。
３　登録第５５１６４２６号商標（以下「引用商標３」という。）は、別掲３のとおりの構成からなり、平成２１年１０月１５日に登録出願、第３０類「うどんめん，そうめん，ひやむぎ」を指定商品として、同２４年５月２日に商標法第３条第２項の要件を具備するとして登録査定、同年８月２４日に設定登録されたものであり、現に有効に存続しているものである。
　
第３　請求人の主張
　請求人は、結論同旨の審決を求めると申し立て、その理由の要旨を次のように述べ、証拠方法として、甲第１号証ないし甲第３９号証を提出している。
１　「温麺」について
（１）「温麺」及び「白石温麺」は、元禄１４年（１７０１年）頃、奥州白石地域で加茂久左衛門により開発された乾麺であるとされ、主として「うーめん」、「しろいしうーめん」と称呼されて、約４００年間にわたって同地域で継続して盛んに製造、販売されているものであり、宮城県白石地方の伝統名産品として、需要者の間に広く知られたものとなっている。
（２）明治時代の終わり頃には温麺製造業者が多数出現してきたため、白石温麺同業組合（申合せ組合）が設立され、その後、「奥州白石温麺同業組合」（大正６年）、「奥州白石製麺工業組合」（昭和１４年）を経て、昭和２７年４月２６日に請求人が設立されて現在に至っている。その間、これらの組合員が一貫して「温麺」及び「白石温麺」を商標として使用してきた結果、宮城県白石地方の名産品とされるようになった。
　請求人は、設立以来、「温麺」、「白石温麺」等について商標登録をするように努めてきており、また、組合員以外の第三者が当該商標と同一又は類似の商標を無断で使用することを法的に禁止できるように商標保護体制を構築し、組合の協同ブランド化を図っている。
　さらに、請求人は、上記商標登録について、「登録商標管理規約」を定めて商標管理をしており、自己の組合員以外の者がその商標の使用を希望する場合には、登録商標使用許諾契約書を取り交わしてその使用を許諾している。
２　商標法第４条第１項第１１号について
　本件商標は、その構成中に引用商標１と同一の「温麺」の文字を含んでなるものであるから、全体観察だけでなく、分離観察をもすべきものであり、その結果、本件商標と引用商標１とは、外観及び称呼において類似する商標と判断されるべきものである。
　また、本件商標と引用商標２及び引用商標３とを比較すると、本件商標は、その構成中に引用商標２及び引用商標３の要部である「温麺」の文字を含んでなるものであるから、全体観察だけでなく、分離観察をもすべきものであり、その結果、本件商標と引用商標２及び引用商標３とは、外観及び称呼において類似する商標と判断されるべきものである。
　そして、本件商標の指定商品と引用商標１ないし引用商標３の指定商品とは、「麺類」で共通しているので、類似するものであることは明らかである。
　したがって、本件商標は、商標法第４条第１項第１１号に違反して登録されたものである。
３　商標法第４条第１項第１０号について
　引用商標１ないし引用商標３に係る「温麺」は、上記１のとおり、約４００年の歴史がある宮城県白石地域の特産品であり、少なくとも昭和２７年に請求人が設立されて以来、請求人とその組合員のみが継続して製造、販売してきた麺類の商標として長年盛んに使用してきた結果、請求人の業務に係る商品を表示するものとして、需要者に広く認識されている商標である。
　してみれば、本件商標は、その構成中に「温麺」の文字を含むものであって、他人（請求人）の業務に係る商品を表示するものとして需要者の間に広く認識されている商標「温麺」と類似する商標であり、かつ、類似する商品について使用するものである。
　したがって、本件商標は、商標法第４条第１項第１０号に違反して登録されたものである。
４　まとめ
　以上のとおり、本件商標の登録は、商標法第４条第１項第１０号及び同項第１１号に違反してされたものであるから、同法第４６条第１項の規定により、無効とすべきである。
　
第４　被請求人の答弁
　被請求人は、前記第３において述べた請求人の主張に対し、何ら答弁していない。
　
第５　当審の判断
１　商標法第４条第１項第１１号該当性について
（１）「温麺」について
ア　請求人の主張及び同人の提出に係る甲各号証によれば、以下の事実が認められる。
（ア）「温麺」（うーめん）とは、白石の鈴木味右衛門が、元禄２年（１６８９年）９月に初めて作った油分を含まない素麺について付けた名であって、その後、「温麺」（うーめん）は、歴代の味右衛門により、その製造法についての研究及び考案、普及が図られた結果、昭和３０年代には白石の一大物産にまで発展を遂げたとされている（甲９）。
（イ）白石の温麺製造業者は、明治時代の終わり頃に白石温麺同業組合（申合せ組合）を設立、その後、「奥州白石温麺同業組合」（大正６年）、「奥州白石製麺工業組合」（昭和１４年）を経て、昭和２７年４月２６日に請求人が設立されて現在に至っており、その間、これらの組合員が一貫して「温麺」及び「白石温麺」を商標として使用してきた。
（ウ）請求人は、引用商標１ないし引用商標３のほか、例えば、組合員が共通使用していた「温麺」又は「白石温麺」の文字を含むレッテル態様の登録第７７７０９９号商標（甲１０）及び登録第１０３０４８５号商標（職権調査によれば「登録第１４５４６３７号商標」の誤記と認める。）（甲１１）を所有していた。
　また、請求人は、自己の所有に係る登録商標につき、「登録商標管理規約」（甲１２）を定めて管理をしており、組合員以外の者がその登録商標の使用を希望する場合には、個別に「登録商標使用許諾契約書」を取り交わして、その使用を許諾している（甲１６ないし甲１８）。
　さらに、請求人は、自己の所有に係る登録商標を他人が無断で使用した場合又は一般名称的な使用法をした場合には、その都度、その使用を止めさせるべく対応をしてきた（甲１３ないし甲１５）。
（エ）「温麺」又は「温麺／うーめん」の商標は、請求人の組合員の製造、販売に係る商品に使用されている（甲１９ないし甲３４）。
　そして、上記使用に係る商品は、「そうめん（乾麺）」のほか、「生麺」及び「即席麺」（甲２５）や「中華そばの干し麺」（甲２７）もあり、また、組合員以外の者の使用に係る商品「調理済み麺」（甲１６ないし甲１８）もある。
　さらに、組合員の製造、販売に係る商品の中には、「モロヘイヤ温麺」、「にんじん温麺」、「そば温麺」、「ゆり温麺」、「柿温麺」、「葛粉温麺」、「古代米温麺」、「梅じそ温麺」、「柿の葉温麺」、「ノニそば温麺」、「ノニの葉温麺」、「ブルーベリー温麺」、「チャガ温麺」などといった、いわゆる変わり温麺も存在する（甲２８ないし甲３４）。
　加えて、「温麺」又は「白石温麺」の商標は、請求人の作成に係るパンフレットや、組合員が開設するホームページにおいて使用されているほか、平成２１年９月３０日付け「河北新報」には、請求人が主催するイベントにおいて、白石特産の「温麺（うーめん）」を用いた創作メニューの提供が行われた旨の記事が掲載された（甲３９）。
イ　上記アにおいて認定した事実に加え、前記第２のとおり、引用商標１及び引用商標３が商標法第３条第２項の要件を具備するとして登録されたことをも併せ考慮すれば、「温麺」及び「温麺／うーめん」の商標は、請求人及びその組合員が製造、販売する商品について長年継続して使用された結果、本件商標の登録出願時には既に、請求人の業務に係る商品を表示するものとして、取引者、需要者の間に広く認識されていたものであり、その状態は、本件商標の登録査定時においても継続していたものと推認される。
（２）本件商標と引用商標との類否について
ア　本件商標
　本件商標は、前記第１のとおり、「北海海賊温麺」の漢字を横書きしてなるところ、その構成中の「温麺」の文字部分は、請求人の業務に係る商品を表示するものとして取引者、需要者の間に広く認識されていた商標「温麺」及び「温麺／うーめん」と同一又は類似の文字からなるものであるから、看者に着目され、ほかの構成文字よりも強い印象を与えるものとみるのが相当である。
　そうとすると、本件商標の構成中の「温麺」の文字部分は、看者をして、分離して観察され、独立して商品の出所識別に当たっての要部として機能し得るものというべきである。
　してみれば、本件商標は、その構成中の「温麺」の文字部分に相応して、「ウーメン」の称呼を生じ、「請求人の使用に係る温麺（うーめん）」といった観念を生ずるものである。
イ　引用商標１及び引用商標３
　引用商標１は、別掲１のとおり、「温麺」の漢字を横書きしてなるものであり、また、引用商標３は、別掲３のとおり、「温麺」の漢字と「うーめん」の平仮名とを上下二段に書してなるものであるところ、両商標は、いずれもその構成文字に相応して、「ウーメン」の称呼を生じ、「請求人の使用に係る温麺（うーめん）」といった観念を生ずるものである。
ウ　本件商標と引用商標１及び引用商標３との類否
　本件商標と引用商標１及び引用商標３とは、上記ア及びイにおいて述べたとおりの構成からなるところ、両者は、その構成全体をもって比較するときは、前者において「北海海賊」の文字が存するといった差異があるものの、本件商標の構成中、独立して商品の出所識別に当たっての要部たり得る「温麺」の文字部分と引用商標１及び引用商標３とを比較するときは、「温麺」の文字を同じくする点において、外観上、近似した印象を与えるものである。
　また、本件商標と引用商標１及び引用商標３とは、いずれも「ウーメン」の称呼及び「請求人の使用に係る温麺（うーめん）」の観念を生ずるものであり、称呼及び観念を同一とするものである。
　したがって、本件商標と引用商標１及び引用商標３とは、外観において近似し、かつ、称呼及び観念を同一とするものであるから、互いに紛れるおそれのある類似の商標というべきである。
　そして、本件商標の指定商品と引用商標１及び引用商標３の指定商品とは、それぞれ前記第１並びに前記第２の１及び３のとおりであって、類似する商品と認められる。
（３）小括
　上記（２）によれば、本件商標は、引用商標１及び引用商標３と類似する商標であり、かつ、本件商標の指定商品と引用商標１及び引用商標３の指定商品とは類似するものであるから、商標法第４条第１項第１１号に該当する。
　なお、引用商標１は、前記第２の１のとおり、既に商標権の存続期間満了（平成２６年３月２２日）により、その登録の抹消がされているものであるところ、本件商標の登録査定は、前記第１のとおり、平成２５年８月８日にされたものであり、その査定時において、引用商標１は有効に存続していたものであるから、上記のとおり判断する。
２　むすび
　以上のとおり、本件商標の登録は、商標法第４条第１項第１１号に違反してされたものであるから、その他の無効事由について判断するまでもなく、同法第４６条第１項の規定により、無効とすべきものである。
  よって、結論のとおり審決する。